(57)【要約】【課題】簡単な構造を有し、且つ被挟持物の挿入及び引き出しを片手で容易に行うことができる挟持具を提供する。【解決手段】本発明に係る挟持具１は、一対とされる湾曲した２枚の挟板２，３と、これら挟板を支持する枠体４と、挟持具１を壁などの被固定物に支持するための支持手段とされる支持部５から構成される。挟板２，３は可撓性を有し、湾曲した状態で挟板２，３が当接する当接面７，８の間に紙片６を挟持させることができると共に、片手で紙片６を挿入し、且つ引き出すことができる。【選択図】図１
2004160878.tif 000002
【特許請求の範囲】
【請求項１】
互いに湾曲した状態で当接することにより被挟持物を着脱自在に挟持する一対の可撓性を有する挟板と、
前記挟板を支持する枠体と、
前記枠体に取り付けられ、該挟持具を支持するための支持手段とを有すること
を特徴とする挟持具。
【請求項２】
前記支持手段は該挟持具を所要の姿勢で支持することを特徴とする請求項１記載の挟持具。
【請求項３】
互いに湾曲した状態で当接することにより被挟持物を着脱自在に挟持する一対の可撓性を有する挟板と、
前記挟板を支持する枠体と、
前記枠体に取り付けられ、該挟持部を支持するための支持手段とを有する挟持部を所要の支持体に複数支持してなること
を特徴とする挟持具。
【発明の詳細な説明】
【０００１】
【発明の属する技術分野】
本発明は、挟持具に関する。更に詳しくは、写真、カード、伝言メモその他紙片等のシート形状を有する被挟持物や挟持可能な形状を有する被挟持物を壁、自動車その他支持体に簡単に止めるための挟持具に関する。
【０００２】
【従来の技術】
伝言メモ等の被挟持物を壁面に仮り止めする技術として、マグネットやクリップで被挟持物を挟むタイプの挟持具が知られているが、被挟持具を留めたり外したりする際に両手が必要とされる不便性を有していた。このような不便性を改善するために、片手で被挟持物を挿入し、且つ引き出すことができる技術が開示されている（例えば、非特許文献１、特許文献１及び２）。さらに、片手で被挟持物を挟持具に挿入し、挟持具から被挟持物を引き抜く動作を繰り返し行った場合でも挟持具に不具合が生じ難い構造を有する技術も開示されている（例えば、特許文献３。）。
【０００３】
【非特許文献１】
実開昭５１−００１０１８号公報
【特許文献１】
特開昭６０−１２９２９７号公報
【特許文献２】
特開平３−２５４９９８号公報
【特許文献３】
特開平９−０７１０７５号公報
【０００４】
【発明が解決しようとする課題】
しかしながら、上述の各公報に開示された技術によれば、ひげ形状を有する挟持部を形成する工程が煩雑であり、被挟持物の挿入及び引き出しを繰り返し行うことによる挟持部の傷みによって、例えば紙片の如き柔らかい材質で形成される被挟持物を所定の挟持部に挿入することが困難になる場合もある。
【０００５】
さらに、ひげ形状を有する挟持部が被挟持物を挿入する奥行き方向に傾斜していることにより、被挟持物を引き出す際に被挟持物が挟持部に引っかかる場合もある。特に、紙片の如き破れ易い材質で形成された被挟持物は破損する場合が多い。
【０００６】
よって、本発明は上記問題点を鑑みてなされたものであり、簡単な構造を有し、且つ被挟持物の挿入及び引き出しを片手で容易に行うことができる挟持具を提供することを目的とする。
【０００７】
【課題を解決するための手段】
本発明の挟持具は、互いに湾曲した状態で当接することにより被挟持物を着脱自在に挟持する一対の可撓性を有する挟板と、挟板を支持する枠体と、枠体に取り付けられ、挟持具を支持するための支持手段とを有することを特徴とする。本発明に係る挟持具によれば、簡単な構造で、被挟持物の挿入及び引き出しの際に被挟持物を殆ど傷めることなく挟持することが可能となる。
【０００８】
このような挟持具においては、支持手段は該挟持具を所要の姿勢で支持することを特徴とする。よって、ユーザが被挟持物を挿入し、且つ引き出すことが容易な向きに挟持具を配置することが可能となり、利便性に優れた挟持具を提供することができる。
【０００９】
また、本発明の挟持具は、互いに湾曲した状態で当接することにより被挟持物を着脱自在に挟持する一対の可撓性を有する挟板と、挟板を支持する枠体と、枠体に取り付けられ、該挟持部を支持するための支持手段とを有する挟持部を所要の支持体に複数支持してなることを特徴とする。このような挟持具によれば、ユーザの目的に応じて所要の位置に被挟持物を止めることができる。
【００１０】
【発明の実施の形態】
以下本発明に係る挟持具について、図面を参照しながら詳細に説明する。図１及び図２は、本実施形態における挟持具が被挟持物を挟持した状態を説明する図であり、図１は透視斜視図、図２は図１中のＡ−Ａ線断面図である。
【００１１】
図１及び図２に示すように、挟持具１は、一対とされる２枚の挟板２，３と、これら挟板を支持する枠体４と、挟持具１を壁などの被固定物に支持するための支持手段とされる支持部５から構成される。
【００１２】
挟板２，３は、互いに湾曲した状態で当接するように枠体４に支持されている。挟板２，３は可撓性を有し、それぞれ湾曲した状態で当接することにより、互いに当接した当接面７，８の間に挿入された被挟持物とされる紙片６を押さえつけ、挟持することができる。また、挟板２，３は、紙片６を円滑に挿入し、且つ引き出すことができるために十分な弾性、復元力及び摩擦係数を有する材料で形成されていれば良く、例えば塩化ビニルで形成された平板の如き部材とすることができる。
【００１３】
また、挟板２，３の一方の挟板がＡ−Ａ線断面上略Ｓ字型に湾曲することによる被挟持物に対して十分な押さえ力が加わらない場合を低減するために、挟板２，３の板厚及び曲率を望ましい値に設定することもできる。さらに、挟板２，３の曲率を設定するために挟板２，３を所要の位置に固定することができる。
【００１４】
また、本例の挟持具１を構成する枠体４のようにＡ−Ａ線断面上略くの字型の形状を有する場合には、略くの字型の開口寸法を所要の寸法とすることにより挟板２，３が当接する当接面７，８の面積を調整することが可能である。従って、当接面７，８の面積に応じて可変とされる被挟持物に対する押さえ力を所要の大きさとすることにより、挟板２，３がＡ−Ａ線断面上略Ｓ字型に湾曲しないように挟板２，３の湾曲状態を維持することもできる。
【００１５】
さらに、挟板２，３の表面を十分な摩擦係数を有した状態で平滑にしておくことにより、被挟持物を傷めることなく図中矢印方向に着脱自在に挿入し、且つ引き出すことができる。さらにまた、繰り返し被挟持物を挟板２，３の間に挿入し、且つ挟板２，３の間から引き出した場合でも当接面７，８の傷みも少なく、長期間挟持具１を使用する際でも支障なく被挟持物を挟持することが可能となる。
【００１６】
また、被挟持物は写真、カード類、レシート紙その他平板形状を有するものに限定されず、風船を把持するための紐の端に取り付けられた把持部その他挟板２，３により挟持可能なものであれば如何なるものでも良い。
【００１７】
枠体４は、当接面７，８で挟板２，３が互いに紙片６を押さえることにより紙片６を挟持すことができるように所要の湾曲状態で挟板２，３を支持する。本例の枠体４はＡ−Ａ線断面上で略くの字型の形状を有し、屈曲部９の挟板２，３に臨む曲面に挟板２，３の端部１０，１１を当接させる。挟板２，３の端部１０，１１に向かい合う端部１２，１３は枠体４に接着され、挟板２，３は湾曲された状態で支持されている。また、挟板２，３はそれぞれ湾曲させた状態で当接され、これら当接面で被挟持物を挟持できるように支持されていれば良く、本例の挟持具１における挟板２，３の支持状態に限定されない。
【００１８】
また、別々に形成された挟板２，３と枠体４とにより挟持具１が形成される場合に限定されず、挟板２，３と枠体４とが一体成形された後、枠体４の一部を折り曲げて挟板２，３とし、挟板２，３が所要の湾曲状態で当接するように挟持具１を形成することもできる。
【００１９】
また、本例の枠体４は光透過性を有する材料で形成されており、例えばアクリル樹脂で形成することができるが、光透過性を有する材料に限定されず、所要の枠体形状を成形することができると共に、挟板２，３を支持するために十分な剛性を有する材料であれば如何なるものでも良い。さらに、枠体４は、挟板２，３の両端を支持することにより挟板２，３を所要の湾曲状態で支持することができる形状であれば如何なる形状でも良い。
【００２０】
さらにまた、枠体４は、ユーザが挟持具１をみる角度に応じて枠体４の表面に各種模様や色を表示するように偏光板を備えていても良い。例えば、複数の挟持具１を使用する場合に各挟持具が各種模様や色を表示すれば、ユーザに美感を生じさせることもできる。
【００２１】
支持部５は、挟持具１を所要の支持体に支持する。本例では、支持部５は枠体４の裏面に接着された磁石とされるが、ベルクロ（登録商標）、両面テープ、鋲、吸盤、フック、固定ねじを通すための孔部又は挟持具１を支持する支持体に設けられた嵌合部と嵌合することができる形状を有する部材でも良く、挟持具１を支持体に支持することができる機構であれば如何なるものでも良い。
【００２２】
また、挟持具１は、被挟持物のサイズや重量に合わせて所要のサイズとなるように形成される。例えば、Ａ４、Ｂ４、又はＡ３の如き各種紙片６のサイズに合わせて挟持具１を形成しても良い。また、被挟持物のサイズや重量に合わせて被挟持物を挟持できるように挟板２，３を好適な形状に湾曲させ、当接面７，８で被挟持物を挟持するために十分な押さえ力を確保することもできる。
【００２３】
次に、本発明の挟持具の別の例について、図３乃至図４を参照しながら説明する。
【００２４】
図３は、本発明の挟持具の一例が平坦面に配置された状態を示す断面図である。挟持具３０は、一対とされる２枚の挟板３１，３２と、これら挟板３１，３２を支持する枠体３３と、挟持具３０を平坦面に支持するための足部３４，３５から構成される。
【００２５】
挟板３１，３２は、図１及び図２で説明した挟持具１と同様に互いに湾曲した状態で当接するように枠体３３に支持され、挟板３１，３２が互いに当接する当接面の間に挿入される被挟持物を挟持する。
【００２６】
足部３４，３５は、挟持具３０を平坦面３９に配置した場合に挟持具３０を支持する支持部である。足部３４，３５は、被挟持物が着脱自在とされるように、挟板３１，３２が当接した当接面が所定の向きになるように挟持具３０の姿勢を維持すると共に平坦面３９に挟持具３０を支持する。本例の挟持具３０においては、被挟持物の着脱方向が平坦面３９に対して略垂直になるように足部３４，３５が挟持具３０を支持する。
【００２７】
図４は、本発明の挟持具の別の例が平坦面に配置された状態を示す断面図である。挟持具４０は、一対とされる２枚の挟板４１，４２と、これら挟板４１，４２を支持する枠体４３と、挟持具４０の姿勢を維持するための錘部４４，４５からから構成される。
【００２８】
挟板４１，４２は、図１及び図２で説明した挟持具１と同様に枠体４３に支持され、着脱自在に被挟持物を挟持する。
【００２９】
錘部４４，４５は、側方断面上略くの字型の形状を有する枠体４３の屈曲部４８の挟板４１，４２を臨む曲面に取り付けられている。さらに、錘部４４，４５は、挟板４１，４２が互いに当接する当接面に対して側方断面上対称な位置に取り付けられている。錘部４４，４５によれば、挟持具４０の重心が図中下側にあると共に挟持具４０の略中心線上にあり、挟持具４０を平坦面４９に配置した際に、被挟持物が着脱自在とされるように挟持具４０の姿勢が維持される。
【００３０】
また、挟板４１，４２の間に被挟持物を着脱した際に挟持具４０の姿勢が乱れた場合でも、錘部４４，４５は当接面４１ａ，４２ａが平坦面４９に対して略垂直になるように挟持具４０の姿勢を回復させる。
【００３１】
図５は、複数の挟持部が所要の位置に取り付けられた挟持具の構成を示す平面図である。挟持具５０は、挟持部５２ａ，５２ｂ，・・・，５２ｇと、これら挟持部５２ａ，５２ｂ，・・・，５２ｇが取り付けられた略平板形状を有する基台５１から構成されている。
【００３２】
挟持部５２ａ，５２ｂ，・・・，５２ｇは、図１及び図２において説明した挟持具１と同様な構造を有する挟持具であり、基台５１に着脱自在とされる。本例では、挟持部５２ａ，５２ｂ，・・・，５２ｇは基台５１に対して図中一列となるように取り付けられているが、ユーザの目的に応じて基台５１の所要の位置に着脱自在とすることができる。
【００３３】
さらに、基台５１に取り付けられた挟持部５２ａ，５２ｂ，・・・，５２ｇの向きが、被挟持物の着脱方向が基台５１の取り付け面に対して略平行とされる場合や被挟持物の着脱方向が基台５１の取り付け面に対して略垂直とされる場合などその他被挟持物の着脱方向が所要の向きとなるように各挟持部５２ａ，５２ｂ，・・・，５２ｇを基台５１に取り付けることができる。
【００３４】
本例では、挟持部５２ａ，５２ｂ，・・・，５２ｇは合わせて７個取り付けられており、各挟持部５２ａ，５２ｂ，・・・，５２ｇを曜日毎に対応させて配置することもできる。また、基台５１に取り付けられる挟持部の個数は、任意に選択することもできる。
【００３５】
さらに、基台５１は平板形状に限定されず、被挟持物を挟持する挟持部５２ａ，５２ｂ，・・・，５２ｇが取り付けられる形状のものであれば如何なる形状の物でも良い。挟持部５２ａ，５２ｂ，・・・，５２ｇと基台５１とが一組とされてなる挟持具５０を用いることにより、挟持部５２ａ，５２ｂ，・・・，５２ｇを別々に用いる場合に比べて被挟持物を整理するための利便性を高めることも可能となる。
【００３６】
【発明の効果】
以上説明したように、本発明によれば、簡単な構造で被挟持物を挟持することができるだけでなく、被挟持物を片手で挿入し、且つ引き出すことが可能であり、利便性に優れた挟持具を提供することができる。このような挟持具を用いることにより、紙片のような被挟持物を壁や自動車に簡単に止めることができる。
【００３７】
さらに、挟持具を支持する支持手段により、壁や自動車の所要の位置に該挟持具を支持することができる。また、平坦面に挟持具を配置する場合でも、支持手段により被挟持物が着脱自在とされるように該挟持具の姿勢を維持することが可能である。
【００３８】
また、本発明に係る複数の挟持部が取り付けられることにより一組とされる挟持具は、ユーザの目的に応じて各挟持部を所要の位置に取り付けることができる。よって、被挟持物を整理する際に所要の位置に被挟持物を止めることができ、利便性に優れた挟持具を提供することができる。
【図面の簡単な説明】
【図１】本発明に係る挟持具の構造を示す透視斜視図である。
【図２】同挟持具を側方からみた構造を示すＡ−Ａ線断面図である。
【図３】同挟持具の一例である挟持具が平坦面に配置された状態を説明する断面図である。
【図４】同挟持具の一例である挟持具が平坦面に配置された状態を説明する断面図である。
【図５】挟持部が複数配置されてなる挟持具の構成を示す平面図である。
【符号の説明】
１，３０，４０，５０  挟持具、２，３，３１，３２，４１，４２  挟板、４，３３，４３  枠体、５  支持部、６  紙片、７，８，４１ａ，４２ａ  当接面、９，４８  屈曲部、１０，１１，１２，１３  端部、３４，３５  足部、３９，４９  平坦面、４４，４５  錘部、５１  基台
【図１】
2004160878.tif 000003
【図２】
2004160878.tif 000004
【図３】
2004160878.tif 000005
【図４】
2004160878.tif 000006
【図５】
2004160878.tif 000007
【手続補正書】
【提出日】平成15年11月25日(2003.11.25)
【手続補正１】
【補正対象書類名】明細書
【補正対象項目名】００１７
【補正方法】変更
【補正の内容】
【００１７】
枠体４は、当接面７，８で挟板２，３が互いに紙片６を押さえることにより紙片６を挟持することができるように所要の湾曲状態で挟板２，３を支持する。本例の枠体４はＡ−Ａ線断面上で略くの字型の形状を有し、屈曲部９の挟板２，３に臨む曲面に挟板２，３の端部１０，１１を当接させる。挟板２，３の端部１０，１１に向かい合う端部１２，１３は枠体４に接着され、挟板２，３は湾曲された状態で支持されている。また、挟板２，３はそれぞれ湾曲させた状態で当接され、これら当接面で被挟持物を挟持できるように支持されていれば良く、本例の挟持具１における挟板２，３の支持状態に限定されない。


【手続補正２】
【補正対象書類名】明細書
【補正対象項目名】００２０
【補正方法】変更
【補正の内容】
【００２０】
さらにまた、枠体４は、ユーザが挟持具１をみる角度に応じて枠体４の表面に各種模様や色を表示するようにしても良い。例えば、複数の挟持具１を使用する場合に各挟持具が各種模様や色を表示すれば、ユーザに美感を生じさせることもできる。


【手続補正３】
【補正対象書類名】図面
【補正対象項目名】図４
【補正方法】変更
【補正の内容】
【図４】
2004160878.tif 000008
【手続補正４】
【補正対象書類名】図面
【補正対象項目名】図５
【補正方法】変更
【補正の内容】
【図５】
2004160878.tif 000009